(57)【要約】【課題】建屋内部に設けられた車両搭載台の上面を点灯し、利用者の車両搭載台上での躓きや転倒を防止できる機械式駐車装置を提供する。【解決手段】本発明の機械式駐車装置１は、入出庫部に位置し上面に車両Ａを搭載する車両搭載台３と、車両搭載台３に取り付けられ車両搭載台３の振動により発電する振動発電体４と、振動発電体４に電気的に接続し車両搭載台３の上面で点灯可能な発光ライト５と、を備えることを特徴とする。【選択図】図２
2015063831.tif 000002
【特許請求の範囲】
【請求項１】
入出庫部に位置し上面に車両を搭載する車両搭載台と、
前記車両搭載台に取り付けられ前記車両搭載台の振動により発電する振動発電体と、
前記振動発電体に電気的に接続し前記車両搭載台の上面で点灯可能な発光ライトと、を備える、ことを特徴とする機械式駐車装置。
【請求項２】
前記振動発電体と前記発光ライトとに電気的に接続し前記振動発電体から送電された電力を蓄電しその電力を前記発光ライトに送電する蓄電池と、
前記蓄電池から前記発光ライトへの前記送電を制御する送電制御装置と、を備える、ことを特徴とする請求項１に記載の機械式駐車装置。
【請求項３】
前記振動発電体は、下方を向く内面である上側内面と上方を向く内面である下側内面とを有する容器と、
前記容器の前記上側内面と前記下側内面との間の内部空間に設置されるウェイトと、
前記内面と前記ウェイトとに直接的もしくは間接的に連結し該ウェイトを支持する支持体と、
前記ウェイト、前記支持体、もしくは前記内面のいずれか２つに連結され前記車両搭載台の振動により生じた前記ウェイトの運動エネルギにより変形し該運動エネルギを電力に変換する圧電素子と、を有する、ことを特徴とする請求項１に記載の機械式駐車装置。
【請求項４】
前記振動発電体は、上方を向く内面である下側内面と該下側内面を囲む側面とを有する容器と、
曲面形状の窪みでありその内面を上方に向けたウェイト窪みと、前記容器の下側内面又は側面に平行な壁面とを有するすり鉢状ウェイトと、
前記ウェイト窪みの内面上を転がる球状の球状ウェイトと、
前記容器の下側内面又は側面と前記すり鉢状ウェイトの下面又は前記壁面とに密着して固定される圧電素子と、を有する、ことを特徴とする請求項１に記載の機械式駐車装置。
【請求項５】
前記振動発電体は、曲面形状の窪みである素子窪みを形成し該素子窪みの内面を上方に向けた圧電素子と、
前記内面上を転がる球状のウェイトと、を有し、
前記内面は、凹凸の複数の突起を有する、ことを特徴とする請求項１に記載の機械式駐車装置。
【請求項６】
前記圧電素子は、前記ウェイトの下面に固定されており、
前記支持体は、前記圧電素子の下面から下方に延びる延長軸と、
前記延長軸の下端と前記容器の下側内面とを揺動可能に接続するボールジョイントと、
前記延長軸の周方向に一定の間隔を隔てて設けられ前記ウェイトと前記容器の上側内面とを接続する複数の弾性体と、を含む、ことを特徴とする請求項３に記載の機械式駐車装置。
【請求項７】
前記支持体は、一端が前記容器の内面に固定され前記圧電素子を介して前記内面と前記ウェイトとを連結し前記ウェイトに向けて延びる固定軸を含み、
前記圧電素子の上面もしくは下面のいずれか一方の面は前記ウェイトに固定され、
前記圧電素子の他方の面は前記固定軸の他端に固定される、ことを特徴とする請求項３に記載の機械式駐車装置。
【請求項８】
前記支持体は、前記ウェイトの下面の中心から下方へ延び前記ウェイトの下面と前記容器の下側内面とを接続する弾性体である下側弾性体と、
前記中心の周方向に一定の間隔を隔てて設けられ一端を前記ウェイトの上面に接続する複数の弾性体である上側弾性体と、を含み、
前記上側弾性体の他端は、上面を前記容器の上側内面に接続された前記圧電素子の下面に接続される、ことを特徴とする請求項３に記載の機械式駐車装置。
【請求項９】
前記発光ライトは、その下方に設けられ該発光ライトの発光を吸収しその後放出する蓄光体と一体に形成される、ことを特徴とする請求項１に記載の機械式駐車装置。
【請求項１０】
前記車両搭載台は、その左右方向端部が上方に隆起して形成されたステップを有するパレットであり、
前記発光ライトは、前記ステップの上端部もしくは前記ステップの前記左右方向中央側の側面に設けられる、ことを特徴とする請求項１に記載の機械式駐車装置。
【請求項１１】
発光ライトは、前記ステップの前記上端部もしくは前記ステップの前記左右方向中央側の側面に設けられた穴に面一に嵌められて設けられる、ことを特徴とする請求項１０に記載の機械式駐車装置。
【請求項１２】
前記機械式駐車装置は、くし型エレベータ式の機械式駐車装置であり、
前記車両搭載台は、前記車両を昇降させる昇降ケージのくし歯である、ことを特徴とする請求項１に記載の機械式駐車装置。
【発明の詳細な説明】
【技術分野】
【０００１】
本発明は、利用者の車両搭載台上での躓きや転倒を防止できる機械式駐車装置に関する。
【背景技術】
【０００２】
機械式駐車装置は、地上に建設した建屋内部や、地下に形成した空間に機械装置を配設し、多数の車両を立体的に格納する設備であり、エレベータ式、くし型エレベータ式、垂直循環方式、多層循環方式、水平循環方式、平面往復方式、二多段式等の様々な方式が用いられている。このような機械式駐車装置に使用されるパレットは一般に、車両のタイヤがパレットからはみ出さないように、パレットの左右方向端部が車止めとして隆起している。また、パレットの構成を強くするために、左右方向中央部も隆起していることが多い。
【０００３】
また、特許文献１には、太陽光が照射される位置のパレットに、ソーラパネルを貼り付け、発電した電力を蓄電池に充電し、夜間にパレットに設置された誘導ランプへ供給する誘導ランプ装置が開示されている。地下ピット２段式の機械式駐車装置に特許文献１の誘導ランプ装置を使用する場合は、上段パレットにソーラパネルを貼り付けて蓄電し、電力を下段パレットの誘導ランプに供給することが特許文献１に開示されている。
【先行技術文献】
【特許文献】
【０００４】
【特許文献１】特開２００７−０５１５２２号公報
【発明の概要】
【発明が解決しようとする課題】
【０００５】
上述の機械式駐車装置の入出庫部が薄暗い場合や、夜間には、足元が暗いため、駐車を終えた利用者がパレットの左右方向端部の隆起に躓き、転倒するおそれがあった。
また上方からパレットを照らすと隆起が車両や利用者の影になりやすいため、パレットをうまく照明することは難しかった。しかし、パレット上に照明を設置してパレットへ給電するとなると、カプラ等が必要な大がかりな給電となってしまうため、パレット上に照明を設置することは現実的ではなかった。
【０００６】
また上述の機械式駐車装置のパレットに特許文献１の誘導ランプ装置を適用しようとしても、建屋内部にあるパレットには太陽光が届かないため、発電できない。ソーラパネルを建屋の外に設置したとしても、上述の機械式駐車装置のパレットは、上下左右前後に複雑に移動したり、一定方向に回転し続けたりするため、蓄電池から各パレットへの配線が困難であった。
そのため特許文献１の誘導ランプ装置を建屋内にパレットを備える機械式駐車装置に使用できなかった。
【０００７】
本発明は上述した問題点を解決するために創案されたものである。すなわち本発明の目的は、建屋内部に設けられた車両搭載台の上面を点灯し、利用者の車両搭載台上での躓きや転倒を防止できる機械式駐車装置を提供することにある。
【課題を解決するための手段】
【０００８】
本発明によれば、入出庫部に位置し上面に車両を搭載する車両搭載台と、
前記車両搭載台に取り付けられ前記車両搭載台の振動により発電する振動発電体と、
前記振動発電体に電気的に接続し前記車両搭載台の上面で点灯可能な発光ライトと、を備える、ことを特徴とする機械式駐車装置が提供される。
【０００９】
また前記振動発電体と前記発光ライトとに電気的に接続し前記振動発電体から送電された電力を蓄電しその電力を前記発光ライトに送電する蓄電池と、
前記蓄電池から前記発光ライトへの前記送電を制御する送電制御装置と、を備える。
【００１０】
また前記振動発電体は、下方を向く内面である上側内面と上方を向く内面である下側内面とを有する容器と、
前記容器の前記上側内面と前記下側内面との間の内部空間に設置されるウェイトと、
前記内面と前記ウェイトとに直接的もしくは間接的に連結し該ウェイトを支持する支持体と、
前記ウェイト、前記支持体、もしくは前記内面のいずれか２つに連結され前記車両搭載台の振動により生じた前記ウェイトの運動エネルギにより変形し該運動エネルギを電力に変換する圧電素子と、を有する。
【００１１】
また前記振動発電体は、上方を向く内面である下側内面と該下側内面を囲む側面とを有する容器と、
曲面形状の窪みでありその内面を上方に向けたウェイト窪みと、前記容器の下側内面又は側面に平行な壁面とを有するすり鉢状ウェイトと、
前記ウェイト窪みの内面上を転がる球状の球状ウェイトと、
前記容器の下側内面又は側面と前記すり鉢状ウェイトの下面又は前記壁面とに密着して固定される圧電素子と、を有する。
【００１２】
または、前記振動発電体は、曲面形状の窪みである素子窪みを形成し該素子窪みの内面を上方に向けた圧電素子と、
前記内面上を転がる球状のウェイトと、を有し、
前記内面は、凹凸の複数の突起を有する。
【００１３】
また前記圧電素子は、前記ウェイトの下面に固定されており、
前記支持体は、前記圧電素子の下面から下方に延びる延長軸と、
前記延長軸の下端と前記容器の下側内面とを揺動可能に接続するボールジョイントと、
前記延長軸の周方向に一定の間隔を隔てて設けられ前記ウェイトと前記容器の上側内面を接続する複数の弾性体と、を含む。
【００１４】
もしくは、前記支持体は、一端が前記容器の内面に固定され前記圧電素子を介して前記内面と前記ウェイトとを連結し前記ウェイトに向けて延びる固定軸を含み、
前記圧電素子の上面もしくは下面のいずれか一方の面は前記ウェイトに固定され、
前記圧電素子の他方の面は前記固定軸の他端に固定される。
【００１５】
または、前記支持体は、前記ウェイトの下面の中心から下方へ延び前記ウェイトの下面と前記容器の下側内面とを接続する弾性体である下側弾性体と、
前記中心の周方向に一定の間隔を隔てて設けられ一端を前記ウェイトの上面に接続する複数の弾性体である上側弾性体と、を含み、
前記上側弾性体の他端は、上面を前記容器の上側内面に接続された前記圧電素子の下面に接続される。
【００１６】
また前記発光ライトは、その下方に設けられ該発光ライトの発光を吸収しその後放出する蓄光体と一体に形成される。
【００１７】
また前記車両搭載台は、その左右方向端部が上方に隆起して形成されたステップを有するパレットであり、
前記発光ライトは、前記ステップの上端部もしくは前記ステップの前記左右方向中央側の側面に設けられる。
【００１８】
また発光ライトは、前記ステップの前記上端部もしくは前記ステップの前記左右方向中央側の側面に設けられた穴に面一に嵌められて設けられる。
【００１９】
また前記機械式駐車装置は、くし型エレベータ式の機械式駐車装置であり、
前記車両搭載台は、前記車両を昇降させる昇降ケージのくし歯である。
【発明の効果】
【００２０】
上述した本発明の機械式駐車装置によれば、振動発電体が各車両搭載台に取り付けられており、車両搭載台の移動、車両の搭載、もしくは利用者の移動に伴う車両搭載台の振動から振動発電体が発電し、その車両搭載台に設けられた発光ライトに給電するので、車両搭載台が建屋内部に設けられていたとしても、太陽光もカプラも使わずに発電できる。
【００２１】
また各車両搭載台に、振動発電体と発光ライトとの双方が設けられているので、その車両搭載台の外部から配線を引き込む必要が無い。そのため配線に車両搭載台の移動が制限されないので、本発明の機械式駐車装置が、車両搭載台を上下左右前後に複雑に移動する機械式駐車装置や、一定方向に回転し続ける機械式駐車装置であっても、振動発電体からの給電により発光ライトが点灯できる。
そのため利用者の足元を振動発電体で照らし、隆起に対して利用者に注意を促すことができるので、利用者が隆起に躓いたり、転倒したりしにくい。
【図面の簡単な説明】
【００２２】
【図１】本発明の機械式駐車装置の説明図である。
【図２】本発明の車両搭載台、振動発電体、及び発光ライトの説明図である。
【図３】本発明の振動発電体の説明図である。
【図４】本発明の発光ライトの説明図である。
【図５】本発明の第１実施形態の機械式駐車装置の説明図である。
【図６】本発明の第２実施形態の機械式駐車装置の説明図である。
【発明を実施するための形態】
【００２３】
以下、本発明の実施形態を図面に基づいて説明する。なお、各図において共通する部分には同一の符号を付し、重複した説明を省略する。
【００２４】
（第１実施形態）
図１は、本発明の機械式駐車装置１の説明図である。
本発明の機械式駐車装置１は、図１に示すように、建屋１８の地上階が入出庫階となっており、ここに入出庫口が設けられている。この入出庫口は、車両Ａを建屋１８内に進入させる出入口である。この入出庫口の内側の入出庫部２には、床面を通って車両Ａが乗り入れるための一つの車両搭載台３が設置される。
本発明の機械式駐車装置１は、地上に建設した建屋１８内部や、地下に形成した空間に機械装置を配設し、多数の車両Ａを立体的に格納する設備であり、エレベータ式、くし型エレベータ式、垂直循環方式、多層循環方式、水平循環方式、平面往復方式、二多段式のうち、いずれの方式の駐車装置でもよい。
【００２５】
図２は、本発明の車両搭載台３、振動発電体４、及び発光ライト５の説明図である。（Ａ）は正面から車両搭載台３を見た図であり、（Ｂ）は上方から車両搭載台３を見た図である。
本発明の機械式駐車装置１は、入出庫部２に位置し上面に車両Ａを搭載する車両搭載台３と、車両搭載台３に取り付けられ車両搭載台３の振動により発電する振動発電体４と、振動発電体４に電気的に接続し車両搭載台３の上面で点灯可能な発光ライト５と、を備える。
【００２６】
車両搭載台３は、その左右方向端部が上方に隆起して形成されたステップ３ａと、左右方向中央部が隆起した中央隆起部３ｂとを有するパレットであることが好ましい。しかし、車両搭載台３は、バリアフリーに対応可能な、隆起が無い平坦な平板状のパレットであってもよい。もしくは、機械式駐車装置１がくし型エレベータ式の機械式駐車装置であるときの車両搭載台３は、車両Ａを昇降させる昇降ケージのくし歯であってもよい。
なお、以下、車両搭載台３の幅方向を左右方向、車両搭載台３の長手方向を前後方向とする。
【００２７】
振動発電体４は、車両搭載台３に固定され、ウェイト９と圧電素子１０とを有する。それにより、本発明の振動発電体４は、例えば車両搭載台３の移動、車両搭載台３への車両Ａの移動、利用者の移動により生じる車両搭載台３の振動によりウェイト９に生じた運動エネルギを圧電素子１０に伝え、電力に変換することができる。
【００２８】
振動発電体４は、車両搭載台３のステップ３ａや中央隆起部３ｂの下面に固定されていることが好ましい。そして振動発電体４の下端が車両搭載台３の下端より下方に突出しないことが好ましい。なお、車両搭載台３がバリアフリー用の上面が平坦なパレットである場合、車両搭載台３の内部に振動発電体４を設置することが好ましい。
【００２９】
本発明の振動発電体４は、上下方向、左右方向、前後方向の３軸方向もしくは回転方向のいずれの方向の振動であっても発電できるものが好ましい。例えば本発明の振動発電体４は、以下に説明する第１実施例〜第６実施例の振動発電体４のいずれでもよい。
図３は、本発明の振動発電体４の説明図であり、右列が上から振動発電体４を見た図、左列が横から振動発電体４を見た図である。（Ａ）は本発明の振動発電体４の第１実施例、（Ｂ）はその第２実施例、（Ｃ）は第３実施例、（Ｄ）は第４実施例、（Ｅ）は第５実施例、（Ｆ）は第６実施例である。なお、図３では、圧電素子１０に連結される配線を省略している。
【００３０】
図３（Ａ）〜図３（Ｃ）に示すように、第１実施例〜第３実施例の振動発電体４は、下方を向く内面である上側内面８ａと上方を向く内面である下側内面８ｂとを有する容器８と、容器８の上側内面８ａと下側内面８ｂとの間の内部空間に設置されるウェイト９と、容器８の内面とウェイト９とに直接的もしくは間接的に連結しウェイト９を支持する支持体２３と、ウェイト９、支持体２３、もしくは容器８の内面のいずれか２つに連結され車両搭載台３の振動により生じたウェイト９の運動エネルギにより変形し運動エネルギを電力に変換する圧電素子１０と、を有する。
なお、支持体２３は、ウェイト９が容器８の内部空間の中央にバランスを保って位置できるように、ウェイト９の重心を支持していることが好ましい。
【００３１】
また図３（Ａ）に示すように第１実施例の振動発電体４の圧電素子１０は、ウェイト９の下面に固定されている。
また第１実施例の支持体２３は、圧電素子１０の下面から下方に延びる延長軸１１と、延長軸１１の下端と容器８の下側内面８ｂとを揺動可能に接続するボールジョイント１３を有している。この構成により、本実施例のウェイト９は、ボールジョイント１３と中心として自在に揺動することができる。
【００３２】
さらに本実施例の支持体２３は、延長軸１１の周方向に一定の間隔を隔てて設けられウェイト９と容器８の上側内面８ａとを接続する複数の弾性体１４を含む。弾性体１４はウェイト９に、延長軸１１の周方向に等間隔に連結していることが好ましい。また弾性体１４は、バネ、ゴム、もしくはその他の弾性体のいずれでもよい。
このように、圧電素子１０がウェイト９と延長軸１１とに挟まれ、ウェイト９が自在に揺動するので、ウェイト９が揺れる度に圧電素子１０が歪み、電力が生じる。そのため、本実施例の振動発電体４は、車両搭載台３の振動を効率よく吸収して発電できる。
【００３３】
また第１実施例の振動発電体４は、延長軸１１の周方向に等間隔に連結する弾性体１４と、ウェイト９を揺動可能に容器８の下側内面８ｂに連結させるボールジョイント１３とを有するので、車両搭載台３の振動が上下方向、左右方向、前後方向の３軸方向もしくは回転方向のいずれの方向の振動であっても発電できる。
【００３４】
図３（Ｂ）に示すように、支持体２３は、一端が容器８の内面に固定され圧電素子１０を介して容器８の内面とウェイト９とを連結しウェイト９に向けて延びる固定軸１２を含む。
また第２実施例の振動発電体４は、圧電素子１０の上面もしくは下面のいずれか一方の面がウェイト９に固定され、圧電素子１０の他方の面が固定軸１２の他端に固定されている。
【００３５】
また第２実施例の振動発電体４は、容器８の上側内面８ａもしくは下側内面８ｂに一端が固定された固定軸１２の他端に圧電素子１０が固定され、圧電素子１０の固定軸１２と反対側に圧電素子１０の前後方向または左右方向の径より径が大きいウェイト９が固定されているので、車両搭載台３の振動が上下方向、左右方向、前後方向の３軸方向もしくは回転方向のいずれの方向の振動であっても発電できる。
その他の第２実施例の振動発電体４の構成と効果は、第１実施例の振動発電体４と同様である。
【００３６】
図３（Ｃ）に示すように、第３実施例の支持体２３は、下側弾性体１４ａと上側弾性体１４ｂとを含む。
下側弾性体１４ａは、ウェイト９の下面の中心から下方へ延びウェイト９の下面と容器８の下側内面８ｂとを接続する弾性体１４である。
【００３７】
上側弾性体１４ｂは、ウェイト９の下面の中心の周方向に一定の間隔を隔てて設けられ一端をウェイト９の上面に接続する複数の弾性体１４である。また上側弾性体１４ｂの他端は、上面を容器８の上側内面８ａに接続された圧電素子１０の下面に接続される。
【００３８】
また第３実施例の振動発電体４は、ウェイト９の上面を、その下面の中心の周方向に等間隔に連結した複数の上側弾性体１４ｂで支持し、下側弾性体１４ａでウェイト９の下面の中心と容器８の下側内面８ｂを連結するので、車両搭載台３の振動が上下方向、左右方向、前後方向の３軸方向もしくは回転方向のいずれの方向の振動であっても発電できる。
その他の第３実施例の振動発電体４の構成と効果は、第１実施例及び第２実施例の振動発電体４と同様である。
【００３９】
図３（Ｄ）に示すように、第４実施例の振動発電体４は、上方を向く内面である下側内面８ｂと下側内面８ｂを囲む側面８ｃとを有する容器８を備える。
また第４実施例のウェイト９は、すり鉢状ウェイト９ａと球状ウェイト９ｂとを含む。
【００４０】
すり鉢状ウェイト９ａは、曲面形状の窪みでありその内面を上方に向けたウェイト窪み９ｃと、容器８の下側内面８ｂ又は側面８ｃに平行な壁面９ｄとを有するウェイトである。また球状ウェイト９ｂは、ウェイト窪み９ｃの内面上を転がる球状のウェイトである。
ウェイト窪み９ｃの内面の曲面形状は、半球形状でも、半円筒形状でも、その他の形状の曲面でもよい。
【００４１】
また本実施例の振動発電体４は、容器８の下側内面８ｂ又は側面８ｃとすり鉢状ウェイト９ａの下面９ｅ又は壁面９ｄとに密着して固定される圧電素子１０と、を有する。圧電素子１０は、１つでも複数でもよい。
なお第４実施例の容器８は、上側内面８ａを有していてもよい。そして第４実施例の振動発電体４は、容器８の上側内面８ａとすり鉢状ウェイト９ａの上面とに密着して固定される圧電素子１０を有していてもよい。それにより容器８の上側内面８ａとすり鉢状ウェイト９ａの上面とに密着して固定される圧電素子１０に球状ウェイト９ｂが衝突したときにも振動発電体４が発電する。
【００４２】
すなわち第４実施例の振動発電体４は、すり鉢状ウェイト９ａと容器８に密着して、すり鉢状ウェイト９ａの下面９ｅと容器８の下側内面８ｂとの間と、すり鉢状ウェイト９ａの壁面９ｄと容器８の側面８ｃとの間とに圧電素子１０が設置され、すり鉢状ウェイト９ａの曲面上には球状ウェイト９ｂが転動可能に設置されている。そのため車両搭載台３が揺れると、すり鉢状ウェイト９ａの運動エネルギと、球状ウェイト９ｂが曲面上を転動することにより生じる運動エネルギとが圧電素子１０に伝達される。そのため、車両搭載台３の振動が上下方向、左右方向、前後方向の３軸方向もしくは回転方向のいずれの方向の振動であっても発電できる。
【００４３】
第５実施例と第６実施例との振動発電体４は、曲面形状の窪みである素子窪み１０ｂを形成し素子窪み１０ｂの内面１０ａを上方に向けた圧電素子１０と、内面１０ａ上を転がる球状のウェイト９と、を有する。また本実施例の圧電素子１０の内面１０ａは、凹凸の複数の突起２２を有する。
なお第５実施例と第６実施例との振動発電体４も上側内面８ａを有する容器８を備え、容器８の上側内面８ａと素子窪み１０ｂの内面１０ａを上方に向けた圧電素子１０の上面とに密着して固定される平板状の圧電素子１０を有していてもよい。それにより平板状の圧電素子１０にウェイト９が衝突したときにも第５実施例と第６実施例との振動発電体４が発電する。
【００４４】
第５実施例と第６実施例の振動発電体４の曲面形状の内面１０ａは、半球面であることが好ましいが、半円筒面でもよい。また第５実施例の振動発電体４の圧電素子１０の突起２２は、図３（Ｅ）に示すように、鋭角に突出した鋭角突起２２ａであることが好ましい。すなわち、垂直方向に延びる平面による第５実施例の圧電素子１０断面は、半球状の圧電素子１０の内面１０ａから鋭角突起２２ａがのこぎりの刃状に突出していることが好ましい。
それにより、車両搭載台３の振動により球状のウェイト９が動くと、圧電素子１０の内面１０ａを転がり、衝突した圧電素子１０の鋭角突起２２ａに衝撃を加えるため、発電できる。
【００４５】
また第６実施例の振動発電体４の圧電素子１０の突起２２は、図３（Ｄ）に示すように、なめらかに突出した波状突起２２ｂであることが好ましい。すなわち、垂直方向に延びる平面による第６実施例の圧電素子１０の断面は、半球状の圧電素子１０の内面１０ａから波状突起２２ｂが突出して、圧電素子１０の内側の面が波状に凹凸していることが好ましい。
それにより、車両搭載台３の振動により球状のウェイト９が動くと、圧電素子１０に滑らかに荷重変化が伝わる。
その他の第６実施例の振動発電体４の構成と効果は、第５実施例の振動発電体４と同様である。
【００４６】
このように、第５実施例と第６実施例の振動発電体４は、突起２２のある曲面形状の内面１０ａ上を球状のウェイト９が転がるので、車両搭載台３の振動が上下方向、左右方向、前後方向の３軸方向もしくは回転方向のいずれの方向の振動であっても発電できる。
第５実施例と第６実施例の振動発電体４は、車両搭載台３が左右方向、前後方向もしくは回転方向に揺動する機械式駐車装置１に使用することが好ましい。
【００４７】
なお、本発明の振動発電体４は、ウェイト９と圧電素子１０とを有するものに限らず、これ以外の構成の振動発電体であってもよい。
【００４８】
図４は、本発明の発光ライト５の説明図である。（Ａ）は本発明の発光ライト５の第１実施例の断面図であり、（Ｂ）はその第２実施例の断面図である。また（Ｃ）は、発光ライト５を車両搭載台３の左右方向中央側にむけてステップ３ａに設けたときの車両搭載台３の正面図である。
発光ライト５は、ＬＥＤ電球を使用することが好ましいが、電力を利用して発光するものであれば、白熱電球、ＣＣＦＬ、ＨＩＤランプ、電球型蛍光ランプ、もしくはハロゲン電球を用いてもよい。
【００４９】
発光ライト５は、車両搭載台３の上面の端部に設けられる。
発光ライト５は、車両搭載台３の左右方向端部に設けられたステップ３ａ上、もしくはステップ３ａに開けられた穴２１に嵌められていることが好ましい。
【００５０】
車両搭載台３は、その左右方向端部が上方に隆起して形成されたステップ３ａを有し、発光ライト５は、ステップ３ａの上端部１９に設けられ上方を照らすことが好ましい。その際、図４（Ａ）のように、発光ライト５は、ステップ３ａの上端部１９に設けられた穴２１に嵌められており、ステップ３ａの上端部１９と発光ライト５の上端部１９とは面一に設けられていることが好ましい。
【００５１】
もしくは車両搭載台３は、図４（Ｃ）のように、その左右方向端部が上方に隆起して形成されたステップ３ａを有し、発光ライト５は、ステップ３ａの左右方向中央側の側面２０に設けられ左右方向中央側を照らしてもよい。
その場合も、発光ライト５は、ステップ３ａの側面２０に設けられた穴２１に嵌められており、側面２０と発光ライト５の左右方向中央側の端部とは面一に設けられていることが好ましい。
【００５２】
また本発明の発光ライト５は、例えば図４（Ａ）や図４（Ｂ）のように、その下方に設けられ発光ライト５の発光を吸収しその後放出する蓄光体１５と一体に形成されることが好ましい。
これにより、たとえ利用者が車両Ａから乗降する際に車両搭載台３が振動しない等、発光ライト５が点灯しなかったとしても、蓄光体１５が発光するので、利用者がステップ３ａに気付きやすくなる。
【００５３】
次に、第１実施形態の機械式駐車装置１の電気回路について説明する。
図５は、本発明の第１実施形態の機械式駐車装置１の説明図である。（Ａ）は本発明の振動発電体４と発光ライト５とを繋ぐ電気回路図、（Ｂ）は上方から車両搭載台３を見た図、（Ｃ）は（Ａ）の一部を詳細に示した電気回路図である。
【００５４】
図５（Ａ）と図５（Ｃ）に示すように、本発明の振動発電体４の圧電素子１０は、キャパシタ１６を有する整流回路１７に電気的に接続される。キャパシタ１６を有する整流回路１７は、図５（Ｂ）に示すように、車両搭載台３の中央隆起部３ｂの下面に固定されていることが好ましい。
整流回路１７から出た配線は、発光ライト５に電気的に直列もしくは並列に接続される。
【００５５】
また本発明の機械式駐車装置１は、上述の構成により、各車両搭載台３への給電が不要なため部品数が少なく、可動部もないため、故障しにくい。また部品数が少ないため、機械式駐車装置１の製造費用を抑えることができる。
【００５６】
さらに既設の機械式駐車装置の車両搭載台を本発明の車両搭載台３に交換するだけで、既設の機械式駐車装置を本発明の機械式駐車装置１に容易に改造できる。
【００５７】
また利用者が車両Ａから乗り降りするときに車両搭載台３の上面が明るくなるので、安全性を向上することができる。
【００５８】
本実施形態の機械式駐車装置１は、車両搭載台３が振動しているときに発光ライト５を点灯することができる。すなわち、利用者が車両Ａから乗り降りするときに発光ライト５の点灯が必要であり、利用者が車両Ａから乗り降りするときには、車両搭載台３が振動する。そのため、本発明の機械式駐車装置１は、発電体として振動発電体４を使用することにより、従来の誘導ランプのような蓄電池やその制御装置が無くても、必要なとき（車両Ａや利用者が乗って車両搭載台３が振動するとき）に発光ライト５を点灯させ、利用者の足元を照らすことができる。
【００５９】
図６は、本発明の第２実施形態の機械式駐車装置１の説明図である。（Ａ）は本発明の振動発電体４と発光ライト５とを繋ぐ電気回路図であり、（Ｂ）は上方から車両搭載台３を見た図である。
本実施形態の機械式駐車装置１は、第１実施形態と同様の車両搭載台３、振動発電体４、及び発光ライト５を備え、さらに蓄電池６と送電制御装置７とを備える。すなわち第２実施形態の機械式駐車装置１は、整流回路１７に設置され電圧を安定させるためのキャパシタ１６と、振動発電体４が発電した電力を充電するための蓄電池６との２つのキャパシタを備える。
【００６０】
蓄電池６は、振動発電体４の圧電素子１０と発光ライト５とに電気的に接続し振動発電体４の圧電素子１０から送電された電力を蓄電しその電力を発光ライト５に送電する。
蓄電池６は図６（Ａ）に示すように、整流回路１７と発光ライト５との間の配線に接続されていることが好ましい。
【００６１】
送電制御装置７は、図６（Ａ）に示すように、蓄電池６から発光ライト５への送電を制御する。
本実施形態の送電制御装置７は、整流回路１７と発光ライト５との間に設けられ、内部に整流回路１７と発光ライト５との間の回路を開閉するスイッチと、そのスイッチの開閉を制御する制御手段を有することが好ましい。
【００６２】
制御手段は、昼間に利用者が乗車又は降車する場合に発光ライト５を点灯させないタイマであることが好ましい。
また制御手段は、周囲環境の暗さを検出する光検出センサであってもよい。
【００６３】
もしくは制御手段は、入出庫口の扉を開閉させる制御装置と通信可能な無線の通信手段であり、扉の開閉を条件としてスイッチの開閉を制御してもよい。この場合、入出庫口の扉が開いているときには発光ライト５を点灯させ、扉が閉じているときは、発光ライト５を消灯させることが好ましい。
【００６４】
また送電制御装置７は、発光ライト５の消費電力を減らすために、発光ライト５を点滅させる回路をも有してもよい。
【００６５】
これにより、送電制御装置７が、整流回路１７と発光ライト５との間の接続を遮断したとき、振動発電体４で発電された電力が蓄電池６に充電される。反対に送電制御装置７がその接続を開通させたとき、蓄電池６に充電された電力が発光ライト５に流れ、発光ライト５が点灯する。
【００６６】
送電制御装置７は、車両Ａが入出庫部２にあるときは整流回路１７と発光ライト５との間の接続を開通し、それ以外の時間は、整流回路１７と発光ライト５との間の接続を遮断することが好ましい。それにより、本発明の機械式駐車装置１は、駐車中の車両搭載台３の移動による振動で生じた電力を蓄電池６に蓄電し、利用者の乗車時と降車時とにその蓄電した電力を使用することができる。
それにより、第２実施形態の機械式駐車装置１は駐車時間に発電する分、第１実施形態の機械式駐車装置１より長時間、発電することができるので、強い光で発光ライト５を点灯することができる。
【００６７】
その他の第２実施形態の機械式駐車装置１の構成と効果は、第１実施形態と同様である。また、第２実施形態の機械式駐車装置１にも勿論第１実施例〜第６実施例の振動発電体４や第１実施例もしくは第２実施例の発光ライト５を使用できる。
【００６８】
上述した本発明の機械式駐車装置１によれば、振動発電体４が各車両搭載台３に取り付けられており、車両搭載台３の移動、車両Ａの搭載、もしくは利用者の移動に伴う車両搭載台３の振動から振動発電体４が発電し、その車両搭載台３に設けられた発光ライト５に給電するので、車両搭載台３が建屋１８内部に設けられていたとしても、太陽光もカプラも使わずに発電できる。
【００６９】
また各車両搭載台３に、振動発電体４と発光ライト５との双方が設けられているので、その車両搭載台３の外部から配線を引き込む必要が無い。そのため配線に車両搭載台３の移動が制限されないので、本発明の機械式駐車装置１が、車両搭載台３を上下左右前後に複雑に移動する機械式駐車装置や、一定方向に回転し続ける機械式駐車装置であっても、振動発電体４からの給電により発光ライト５が点灯できる。
そのため利用者の足元を振動発電体４で照らし、隆起に対して利用者に注意を促すことができるので、利用者が隆起に躓いたり、転倒したりしにくい。
【００７０】
なお本発明は上述した実施の形態に限定されず、本発明の要旨を逸脱しない範囲で種々変更を加え得ることは勿論である。
【符号の説明】
【００７１】
１  機械式駐車装置、２  入出庫部、
３  車両搭載台、３ａ  ステップ、３ｂ  中央隆起部、
４  振動発電体、５  発光ライト、
６  蓄電池、７  送電制御装置、
８  容器、８ａ  上側内面、８ｂ  下側内面、８ｃ  側面、
９  ウェイト、９ａ  すり鉢状ウェイト、９ｂ  球状ウェイト、
９ｃ  ウェイト窪み、９ｄ  壁面、９ｅ  下面、
１０  圧電素子、１０ａ  内面、１０ｂ  素子窪み、
１１  延長軸、１２  固定軸、１３  ボールジョイント、
１４  弾性体、１４ａ  下側弾性体、１４ｂ  上側弾性体、
１５  蓄光体、１６  キャパシタ、１７  整流回路、
１８  建屋、１９  上端部、２０  側面、
２１  穴、２２  突起、２２ａ  鋭角突起、２２ｂ  波状突起、
２３  支持体、Ａ  車両
【図１】
2015063831.tif 000003
【図２】
2015063831.tif 000004
【図３】
2015063831.tif 000005
【図４】
2015063831.tif 000006
【図５】
2015063831.tif 000007
【図６】
2015063831.tif 000008